(57)【特許請求の範囲】
【請求項１】
異なる仕様の回線の接続点に設置する切替装置であって、
一次側の二重化された回線と装置内の二重化系との間で切替を行なう第一の切替部と、  装置内の二重化系と二次側の二重化された回線との間で切替を行なう第二の切替部と、  一次側回線から送られてくる一次側回線の受信系の０系と１系のいずれかを選択するための第一の切替情報と切替装置の運用形態とによって、第一の切替部のうち一次側回線受信系の０系と１系とから一つの系を選択して装置内二重化系に接続するセレクト部の選択端子を決定し、二次側回線から送られてくる二次側回線の受信系０系と１系のいずれかを選択するための第二の切替情報と切替装置の運用形態とによって、第二の切替部のうち二次側回線受信系の０系と１系とから一つの系を選択して装置内二重化系に接続するセレクト部の選択端子を決定し、切替装置内で検出した警報と切替装置の運用形態とによって、第一の切替部のうち装置内二重化系の０系と１系とから一つの系を選択して一次側回線の送信系に接続するセレクト部の選択端子を決定し、切替装置内で検出した警報と切替装置の運用形態とによって、第二の切替部のうち装置内二重化系の０系と１系とから一つの系を選択して二次側回線の送信系に接続するセレクト部の選択端子を決定する切替制御部と、
を備えることを特徴とする切替装置。
【請求項２】
請求項１記載の切替装置において、
前記切替制御部は、前記警報が検出されていないとき、
前記切替装置の運用形態が二重化を示し、前記第二の切替情報が０系選択であるとき、前記第二の切替部のうち二次側回線受信系の０系を装置内二重化系に接続するように選択端子を決定し、前記第１の切替部のうち装置内二重化系の０系を前記一次側回線送信系に接続するように選択端子を決定し、
前記切替装置の運用形態が二重化を示し、前記第二の切替情報が１系選択であるとき、前記第二の切替部のうち二次側回線受信系の１系を装置内二重化系に接続するように選択端子を決定し、前記第１の切替部のうち装置内二重化系の１系を前記一次側回線送信系に接続するように選択端子を決定し、
前記切替装置の運用形態が一重化を示し、前記第二の切替情報が０系選択であるとき、前記第二の切替部のうち二次側回線受信系の０系を装置内二重化系に接続するように選択端子を決定し、前記第一の切替部のうち装置内二重化系の０系を前記一次側回線送信系の０系に接続し、前記第一の切替部のうち装置内二重化系の１系を前記一次側回線送信系の１系に接続するように選択端子を決定し、
たことを特徴とする切替装置。
【発明の詳細な説明】
【０００１】
【産業上の利用分野】
本発明は、切替装置に係り、特に、新同期伝送システムにおけるセクション切替機能とパス切替機能の双方を備えるような切替装置の如く、異なる切替機能を複合した切替装置に関する。
【０００２】
例えば、新同期伝送システムにおける切替装置には、セクション区間の切替機能を持つセクション切替装置と、パス区間の切替機能を持つパス切替装置とがある。セクション切替装置はセクション警報を終端してセクション区間の間で切替を行ない、パス切替装置はパス警報を終端してパス区間の間で切替を行なうもので、切替のパターンは同一であるが、切替動作のトリガーは全く異なるものである。従って、セクション区間の接続点にセクション切替装置を設置し、パス区間の接続点にパス切替装置を設置して、伝送路トータルの信頼性を確保するようにシステムを構成するのが通常である。これは、地域系の通信事業も中継系の通信事業も一社によって提供されていた時代であれば、何ら問題を生じない。
【０００３】
さて、通信事業の自由化の進展に伴って、中継系の通信事業者も地域系の通信事業者も複数になり、それらの間で種々の形態の接続が行なわれるようになった今日では、セクション区間とパス区間の間に設置する、セクション切替機能とパス切替機能とを複合した切替装置の必要性が生じており、このような要請は今後一層強くなるものと予想される。
【０００４】
【従来の技術】
図１１は、回線切替システムの概要で、図１１（イ）は一次回線、二次回線の仕様が同一の場合、図１１（ロ）は一次回線、二次回線の仕様が異なる場合である。
【０００５】
図１１（イ）において、３は切替装置Ｃ、４は切替装置Ｄである。通常、各々の切替装置の片側には低速側の伝送路が、もう片側には高速側の伝送路が収容されている。ここでは、低速側が約５０Ｍｂ／ｓ、高速側が約１５０Ｍｂ／ｓであり、切替装置Ｃについては左側が低速側、右側が高速側、切替装置Ｄについては左側が高速側、右側が低速側であるとする。又、両方の切替装置について、左側の回線を一次回線、右側の回線を二次回線と定義する。即ち、図１１（イ）のように、切替装置Ｃと切替装置Ｄとが対向する場合には、切替装置Ｃにおいては一次回線が低速側、二次回線が高速側となり、切替装置Ｄにおいては一次回線が高速側、二次回線が低速側となる。つまり、一次／二次と低速／高速とは一義的な対応関係にはない。
【０００６】
さて、低速側が５０Ｍｂ／ｓで高速側が１５０Ｍｂ／ｓの場合を対象にしているので、切替装置Ｃの一次側には三つの５０Ｍｂ／ｓ回線が収容され、切替装置Ｃの二次側には一つの１５０Ｍｂ／ｓ回線が収容され、切替装置Ｄの一次側には一つの１５０Ｍｂ／ｓ回線が収容され、切替装置Ｄの二次側には三つの５０Ｍｂ／ｓ回線が収容される。しかも、一次側と二次側の各々の回線は、０系、１系と呼ばれる二重化された系で構成されている。従って、切替装置Ｃの一次側と切替装置Ｄの二次側には三つの０系の回線と三つの１系の回線が収容され、切替装置Ｃの二次側と切替装置Ｄの一次側には一つの０系の回線と一つの１系の回線が収容される。しかし、基本的には一つの一次側の回線と一つの二次側の回線との間の切替機能について考えればよいので、図１１においては、切替装置Ｃ、Ｄの両側には、それぞれ、一つの０系の回線と一つの１系の回線のみが収容されているかのように図示している。
【０００７】
又、図１１においては、切替機能に注目して描いているために切替装置のみが示されているが、通常は、切替を行なう地点では伝送情報を異なる方路に載せ替えるような処理を行なっているので、そのような処理を行なう伝送装置も併設されている。
【０００８】
さて、図１１（イ）の構成において、各々の回線区間がセクション区間である場合には、切替装置Ｃと切替装置Ｄはセクション切替機能を備える切替装置であり、各々の回線区間がパス区間である場合には、切替装置Ｃと切替装置Ｄはパス切替機能を備える切替装置である。セクション切替装置である場合には、切替装置Ｃと切替装置Ｄはセクション警報を終端し、切替装置Ｃと切替装置Ｄの間の切替情報はセクション・オーバー・ヘッド（ＳＯＨ）のＫ１、Ｋ２バイトに挿入されて伝送される。又、パス切替装置である場合には、切替装置Ｃと切替装置Ｄはパス警報を終端し、切替装置Ｃと切替装置Ｄとの間の切替情報はパス・オーバー・ヘッド（ＰＯＨ）のＺ４バイトに挿入されて伝送される。即ち、セクション切替装置とパス切替装置とは、切替トリガーが全く異なる。
【０００９】
図１２は、従来の切替装置で、図１１（イ）の切替装置Ｃ又は切替装置Ｄに対応する。これは、セクション切替装置にもパス切替装置にも共通な構成である。
図１２において、３１は第一のセレクト部（ＳＥＬ１）、３２は第二のセレクト部（ＳＥＬ２）、３３は第三のセレクト部（ＳＥＬ３）、３４は第四のセレクト部（ＳＥＬ４）で、ＳＥＬ１とＳＥＬ２とで一次側の０系と１系とから一つの系を選択して二次側の回線に接続する終端部を構成し、ＳＥＬ３とＳＥＬ４とで二次側の０系と１系とから一つの系を選択して一次側の回線に接続するインタフェース部を構成する。尚、図１２においても、切替機能を重視しているので、セレクト部と一次側、二次側の回線のみが図示されているが、実際には、伝送装置も併設されている。又、切替装置に収容される一次側、二次側の伝送路は、先に説明した理由と同じ理由で、各々一つの０系の伝送路と一つの１系の伝送路だけを示している。
【００１０】
図１２における各々のセレクタの選択端子は、図示を省略している中央処理ユニット（ＣＰＵ）によって、切替装置の運用形態と、切替装置及び伝送装置よりなる装置内で検出される警報及び対向する切替装置から受信した切替情報を元に制御される。従来の切替装置におけるセレクト部の制御の様子を示したのが図１３である。図１３において、一次、二次回線の選択とセレクト部の制御の様子を示したのが図１３（イ）であり、上記を簡略化したセレクト部の制御の様子を示したのが図１３（ロ）である。
【００１１】
図１３（イ）において、一次側回線で０系を選択し、二次側回線でも０系を選択する場合には、ＳＥＬ１とＳＥＬ３において「０」端子を選択すれば、ＳＥＬ２とＳＥＬ４は「０」端子、「１」端子のいずれを選択してもよい。又、一次側回線で０系を選択し、二次側回線で１系を選択する場合には、ＳＥＬ２で「０」端子、ＳＥＬ３で「１」端子を選択すれば、ＳＥＬ１、ＳＥＬ４では「０」端子、「１」端子のいずれを選択してもよく、一次側回線で１系、二次側回線で０系を選択する場合には、ＳＥＬ１で「１」端子を、ＳＥＬ４で「０」端子を選択すれば、ＳＥＬ２、ＳＥＬ３では「０」、「１」いずれの端子を選択してもよく、一次側も二次側も１系を選択する場合には、ＳＥＬ２とＳＥＬ４で「１」端子を選択すれば、ＳＥＬ１とＳＥＬ３は何れの端子を選択してもよい。
【００１２】
上記のように、必須条件と任意選択できる条件とを組み合わせれば、図１３（ロ）のようにセレクト部の制御を簡略化できる。即ち、一次側回線の０系を選択する場合にはＳＥＬ１とＳＥＬ２の双方で「０」端子を選択し、一次側回線で１系を選択する場合にはＳＥＬ１とＳＥＬ２の双方で「１」端子を選択し、これらとは独立に、二次側回線の０系を選択する場合にはＳＥＬ３とＳＥＬ４の双方で「０」端子を選択し、二次側回線で１系を選択する場合には、ＳＥＬ３とＳＥＬ４で「１」端子を選択する。
【００１３】
そして、インタフェース部のセレクト部（ＳＥＬ１、ＳＥＬ２）の切替信号には、装置内部で検出した警報と切替装置の運用形態情報及び一次側回線を通じて送られている切替情報を使用し、終端部のセレクト部（ＳＥＬ３、ＳＥＬ４）の切替信号には、装置内部で検出した警報と切替装置の運用形態情報及び二次側回線から伝送されてくる切替情報と使用する。
【００１４】
【発明が解決しようとする課題】
一方、一次側、二次側の回線の仕様が異なる場合を示す図１１（ロ）において、１は切替装置Ａ、２は切替装置Ｂである。そして、切替装置Ａにおいては、一次側が低速側でセクション区間、二次側が高速側でパス区間、切替装置Ｂにおいては一次側が高速側でパス区間、二次側が低速側でセクション区間であるものとする。いずれの切替装置においても、一次側も二次側も一つの０系と一つの１系とで構成されているかのように図示しているのは、先の説明と同じ理由である。又、切替機能に注視しているので、併設されている伝送装置はあらわには図示していない。
【００１５】
さて、既に説明した如く、セクション切替装置においてはセクション警報と隣合うセクション切替装置から伝送されてくる切替情報を切替トリガーとし、パス切替装置においてはパス警報と隣合うパス切替装置から伝送されてくる切替情報を切替トリガーとする。従って、例えば、一方の回線がセクション区間で、もう一方の回線がパス区間である図１１（ロ）における切替装置Ａ、切替装置Ｂにおいては、セクション警報、パス警報を終端すると共に、セクション区間を伝送されてくる切替情報とパス区間を伝送されてくる切替情報を受信する機能を備えている必要がある。
【００１６】
即ち、図１１（ロ）のような切替システムにおいては、従来のセクション切替装置をセクション切替部とし、従来のパス切替装置をパス切替部として、両者を背中合わせにした構成にする必要がある。
【００１７】
ところで、このような切替システムにおける切替装置においては、セクション警報とパス警報の全てと、パス区間を介して転送される切替情報及びセクション区間を介して転送される切替情報を切替トリガーとしてセクション切替とパス切替とを連動して行なう必要がある。しかし、先にも述べたように、セクション切替装置とパス切替装置とは互いに独立な装置であるので、セクション切替とパス切替とを連動させるためには、常識的な手段として、▲１▼新たな切替装置におけるセクション切替部にパス切替情報を読み取る機能を、パス切替部にセクション切替情報を読み取る機能を備えるか、▲２▼各切替部で検出した警報をセクション切替部のＣＰＵとパス切替部のＣＰＵとの間でデータ伝送をする機能を備えるようにする方式が考えられる。
【００１８】
しかし、上記▲１▼はセクション切替装置とパス切替装置との間に互いのオーバー・ヘッドを読むためのインタフェース装置を介在させることを意味するので、切替装置自体の構成が複雑になって伝送システム全体の信頼性を確保するための切替装置自体の信頼性に懸念が生じさせる上に、大規模な設計変更が求められる。一方、上記▲２▼は既に完成しているセクション切替部とパス切替部のＣＰＵに対してハード的にもソフト的にも設計変更を行なう必要性を意味する。
【００１９】
本発明は、かかる問題に対処すべく、簡単なハードによってセクション切替機能とパス切替機能を複合し、新たな要請に応えることができる切替装置を提供することを目的とする。
【００２０】
【課題を解決するための手段】
図１は、本発明の実施例で、図１１（ロ）の切替装置Ａ又は切替装置Ｂに対応する。
【００２１】
図１において、１１は第一の切替部、１２は第二の切替部、１３は切替制御部である。第一の切替部は基本的に図１２に示した従来の切替装置の構成に準じており、第一のセレクト部（ＳＥＬ１）１１１、第二のセレクト部（ＳＥＬ２）１１２、第三のセレクト部（ＳＥＬ３）１１３、第四のセレクト部（ＳＥＬ４）１１４とによって構成される。この内、ＳＥＬ１、ＳＥＬ２は図１２における終端部に対応し、ＳＥＬ３、ＳＥＬ４は図１２におけるインタフェース部に対応する。同様に、第二の切替部も基本的に図１２に示した従来の切替装置の構成に準じており、第一のセレクト部（ＳＥＬ１’）１２１、第二のセレクト部（ＳＥＬ２’）１２２、第三のセレクト部（ＳＥＬ３’）１２３、第四のセレクト部（ＳＥＬ４’）１２４とによって構成される。この内、ＳＥＬ１’、ＳＥＬ２’は図１２における終端部に対応し、ＳＥＬ３’、ＳＥＬ４’は図１２におけるインタフェース部に対応する。尚、図１においても切替機能を重視して図示しているので、併設される伝送装置はあらわには示されていないが、第一の切替部と第二の切替部との間は併設されている二重化伝送装置に対応する。これを装置内二重化系と名付ける。即ち、第一の切替部の終端部は、一次側回線の０系と１系との一つの系を選択して装置内二重化系に接続し、第一の切替部のインタフェース部は装置内二重化系の０系と１系との一つの系を選択して一次側回線に接続し、第二の切替部の終端部は、二次側回線の０系と１系との一つの系を選択して装置内二重化系に接続し、第二の切替部のインタフェース部は、装置内二重化系の０系と１系との一つの系を選択して二次側回線に接続している。
【００２２】
次に、切替制御部の構成を説明する。１３１ａは装置内二重化系の０系を監視する第一の装置内監視部、１３１ｂは装置内二重化系の１系を監視する第二の装置内監視部、１３２ａは第一の装置内監視部の監視出力を収集して切替トリガーを後述のＣＰＵ１に送信する第一の故障状態送信部、１３２ｂは第二の装置内監視部の監視出力を収集して切替トリガーを後述のＣＰＵ１に送信する第二の故障状態送信部、１３３は切替制御を行なう第一のＣＰＵ（ＣＰＵ１）、１３４ａはＣＰＵ１からの切替信号を中継する第一の切替信号中継部、１３４ｂはＣＰＵ１からの切替信号を中継する第二の切替信号中継部、１３５は第一、第二の切替信号中継部からの二重化された制御信号を受けて切替の制御を行なう切替順位制御部、１３６は切替順位制御部の出力に従って第一の切替部の終端部を構成するセレクト部の切替を制御する第二のＣＰＵ（ＣＰＵ２）、１３７は切替順位制御部に故障が発生した場合に第一の切替部のインタフェース部を構成するセレクト部の切替機能を停止する選択信号保護部である。
【００２３】
尚、二次側回線から伝送されてくる切替情報は第二の切替部で抽出されてＣＰＵ１に直接入力され、一次側回線から伝送されてくる切替情報は第一の切替部で抽出されてＣＰＵ２に直接入力される。
【００２４】
【作用】
第一、第二の装置内故障監視部が検出した装置内の故障情報は、それぞれ、第一、第二の故障状態送信部に転送され、ここで切替トリガーが生成されてＣＰＵ１に送られる。ＣＰＵ１は切替トリガーを受ける他、必要な場合には保守者からの指示入力を受けて第二の切替部に切替信号を出すと共に、第一、第二の切替信号中継部に切替制御信号を送出する。これら第一、第二の切替信号中継部から切替制御信号を受けた切替順位制御部はＣＰＵ２に第一の切替部の終端部を構成するセレクト部の切替のための制御信号を出すと共に、選択信号保護部に第一の切替部のインタフェース部を構成するセレクト部の切替信号と切替順位制御部の故障信号を出す。尚、ＣＰＵ２には保守者からの指示を受ける手段は設けられてはいない。
【００２５】
従って、第一の切替部も第二の切替部も、切替制御はＣＰＵ１を主体にして行なわれるので、二つのＣＰＵが独立に動作したり、保守者が二つのＣＰＵに個別にアクセスすることはなく、各セレクト部の切替制御が矛盾することは起こらない。
【００２６】
しかも、二次側回線から伝送されてくる切替情報は第二の切替部で抽出されて、直接ＣＰＵ１に入力され、一次側回線から伝送されてくる切替情報は第一の切替部で抽出されてＣＰＵ２に直接入力されるので、図１の構成における切替制御部の構成は、一次側回線と二次側回線の仕様の如何にかかわらず、同一の構成にすることができる。
【００２７】
【実施例】
図２は、本発明の実施例における制御信号系統（その１）で、装置内故障監視部において検出した装置内警報をＣＰＵ１に転送する系統を示す。
【００２８】
図２において、１３２ａ−１は０系の装置内警報を収集して論理和（以下ＯＲと略記する）をとる第一のＯＲ回路、１３２ａ−２は該ＯＲ出力とＣＰＵ１送信タイミングとの論理積（以下ＡＮＤと略記する）をとって０系切替トリガーとする第一のＡＮＤ回路で、１３２ａ−１と１３２ａ−２によって第一の故障状態送信部を構成する。又、１３２ｂ−１は１系の装置内警報を収集してＯＲをとる第二のＯＲ回路、１３２ｂ−２は該ＯＲ出力とＣＰＵ１送信タイミングとのＡＮＤをとって１系切替トリガーとする第二のＡＮＤ回路で、１３２ｂ−１と１３２ｂ−２とによって第二の故障状態送信部を構成する。
【００２９】
装置内故障監視部が検出した警報をＣＰＵ１に送るやり方には種々ありうるが、ここでは検出した警報のＯＲをとって、該ＯＲとＣＰＵ１送信タイミングのＡＮＤで切替トリガーとする方式を示している。この他にも、ＯＲをとらないでＣＰＵ１送信タイミングとのＡＮＤを送るやり方や、ＯＲ出力をＣＰＵ１送信タイミングでラッチして送るやり方などがある。
【００３０】
図３は、本発明の実施例における制御信号系統（その２）で、第一、第二の切替信号中継部、切替順位制御部、選択信号保護部における制御信号の出入りを示している。
【００３１】
図３において、１３４ａ−１はＣＰＵ１から受信したデータであるＣＰＵＤＴを第一の切替信号中継部の制御信号ラッチタイミングの一つであるＳＥＬ（０）ＴＭで保持する第一のフリップ・フロップ、１３４ａ−２は該ＣＰＵＤＴを第一の切替信号中継部の制御信号ラッチタイミングの一つであるＭＯＤＥ（０）ＴＭで保持する第二のフリップ・フロップ、１３４ａ−３は第一の切替信号中継部の自己監視警報のＯＲをとる第三のＯＲ回路で、１３４ａ−１乃至１３４ａ−３によって第一の切替信号中継部を構成する。又、１３４ｂ−１はＣＰＵ１から受信したデータであるＣＰＵＤＴを第二の切替信号中継部の制御信号ラッチタイミングの一つであるＳＥＬ（１）ＴＭで保持する第三のフリップ・フロップ、１３４ｂ−２は該ＣＰＵＤＴを第二の切替信号中継部の制御信号ラッチタイミングの一つであるＭＯＤＥ（１）ＴＭで保持する第四のフリップ・フロップ、１３４ｂ−３は第二の切替信号中継部の自己監視警報のＯＲをとる第四のＯＲ回路で、１３４ｂ−１乃至１３４ｂ−３によって第二の切替信号中継部を構成する。なお、前述したように、ＣＰＵＤＴは、装置内二重化系の０系および１系の監視情報と、二次側回線から伝送されてくる、二次側回線の０系と１系のいずれの系を選択するかを示す切替情報と、保守者の指示入力とを入力情報として、ＣＰＵ１が、それぞれ第一、第二の切替信号中継部がセレクト部の選択端子を指定する信号であるＳＥＬ（０）、ＳＥＬ（１）と、それぞれ第一、第二の切替信号中継部が切替装置の運用形態を指定する信号であるＭＯＤＥ（０）、ＭＯＤＥ（１）とを、タイミング信号に応じて抽出できるように構成して出力する信号である。
【００３２】
そして、第一の切替信号中継部は、セレクト部の選択端子を指定するＳＥＬ（０）、切替装置の運用形態を指定するＭＯＤＥ（０）、第一の切替信号中継部の正常・異常を表示するＡＣＴ（０）を切替順位制御部に対して出力し、第二の切替信号中継部は、セレクト部の選択端子を指定するＳＥＬ（１）、切替装置の運用形態を指定するＭＯＤＥ（１）、第二の切替信号中継部の正常・異常を表示するＡＣＴ（１）を切替順位制御部に対して出力する。そして、第一の切替信号中継部と第二の切替信号中継部は、切替制御信号の信頼性を確保するために二重化されているものである。図４は、二の切替信号中継部が出力する上記の制御信号をまとめた制御信号一覧である。
【００３３】
尚、上で述べた三つの制御信号の間には優先順位を設定する。最も優先順位が高いのは、第一、第二の切替信号中継部が正常に動作していて、且つ、ＣＰＵ１からのデータが正常であることを示すＡＣＴであり、二番目は、切替装置の運用形態を指定するＭＯＤＥであり、最低の優先順位は、セレクト部の選択端子を指定するＳＥＬである。
【００３４】
切替順位制御部は、上記制御信号の組み合わせによって状態を遷移させ、各セレクト部の選択端子を決定する。
図５は、運用形態の状態遷移を示す図である。
【００３５】
図５に示す如く、運用形態には、装置内二重化、装置内一重、切替なしの三つの形態があり、運用が開始された後、遷移を示す矢印の脇に記載した番号に対応する条件に沿って、運用形態を遷移する。例えば、運用開始後、ＡＣＴ（０）とＡＣＴ（１）のいずれかが正常且つＭＯＤＥ（０）とＭＯＤＥ（１）のいずれかが二重化を示している時には装置内二重化に遷移する（(1)）。又、運用開始後、ＡＣＴ（０）とＡＣＴ（１）のいずれかが正常且つＭＯＤＥ（０）とＭＯＤＥ（１）のいずれもが二重化を示していない時には装置内一重に遷移する（(2)）。又、別の例では、装置内二重化又は装置内一重であった時にＡＣＴ（０）とＡＣＴ（１）のいずれもが正常ではなくなると切替なしに遷移する（(5)、(7)）。ここで説明した(1)、(2)、(5)、(7)以外の条件での運用形態の遷移についても、図５中の○付番号の条件を上と同じように解釈すればよい。
【００３６】
図６は、運用形態の状態遷移の内、装置内二重化と装置内一重の部分の詳細を示したものである。
図６において、状態Ａ乃至状態Ｄは装置内二重化の場合の四つの状態を示し、状態Ｅと状態Ｆは装置内一重の場合の二つの状態を示す。状態Ａは、第一の切替信号中継部の信号を受けており、ＡＣＴ（０）が正常で、ＭＯＤＥ（０）が二重化で、ＳＥＬ３、ＳＥＬ４の選択端子が共に０側である状態を表わし、状態Ｃは、第一の切替信号中継部の信号を受けており、ＡＣＴ（０）が正常で、ＭＯＤＥ（０）が二重化で、ＳＥＬ３、ＳＥＬ４の選択端子が共に１側である状態を表わす。一方、状態Ｂは、第二の切替信号中継部の信号を受けており、ＡＣＴ（１）が正常で、ＭＯＤＥ（０）が二重化で、ＳＥＬ３、ＳＥＬ４の選択端子が共に０側である状態を表わし、状態Ｄは、第二の切替信号中継部の信号を受けており、ＡＣＴ（１）が正常で、ＭＯＤＥ（１）が二重化で、ＳＥＬ３、ＳＥＬ４の選択端子が共に１側である状態を表わす。更に、状態Ｅは、第一の切替信号中継部の信号を受けており、ＡＣＴ（０）が正常で、ＭＯＤＥ（０）が一重で、ＳＥＬ３、ＳＥＬ４の選択端子が共に固定されている状態を表わし、状態Ｄは、第二の切替信号中継部の信号を受けており、ＡＣＴ（１）が正常で、ＭＯＤＥ（１）が二重化で、ＳＥＬ３、ＳＥＬ４の選択端子が共に固定されている状態を表わす。
【００３７】
そして、状態Ａと状態Ｂとの間の遷移、状態Ｃと状態Ｄとの間の遷移は、いずれの切替信号中継部の信号を受けるか、即ちＡＣＴ、ＳＥＬ、ＭＯＤＥの（０）を受けるか（１）を受けるかによって決まる。又、状態Ａと状態Ｃの間の遷移、状態Ｂと状態Ｄとの間の遷移は、ＳＥＬ（  ）の内容、即ち、セレクタの選択端子の番号が“０”であるか“１”であるかによって決まる。更に、状態Ａと状態Ｄとの間の遷移、状態Ｂと状態Ｃとの間の遷移では、制御信号を受ける切替信号中継部と、セレクト部の選択端子番号とが切り替わる。更に、状態Ａと状態Ｅとの間の遷移、状態Ｂと状態Ｆとの間の遷移では、ＭＯＤＥ（  ）の内容、即ち、二重化を示す“０”と一重を示す“１”とが切り替わる。一重の場合にはセレクト部の選択端子は固定されるが、これを状態Ｅと状態Ｆでは選択端子番号の組み合わせを０と１にして表現している。これは、選択端子の番号を論理レベルに対応させて、選択端子の番号の排他的ＯＲをとれば、状態Ａから状態Ｄでは“０”となり、状態Ｅと状態Ｆでは“１”となるので、選択端子の番号の組み合わせでＭＯＤＥ（  ）の内容を規定できるからである。最後に、状態Ｅと状態Ｆとの間の遷移は、いずれの切替信号中継部の信号を受けるか、即ちＡＣＴ、ＳＥＬ、ＭＯＤＥの（０）を受けるか（１）を受けるかによって決まる。
【００３８】
尚、状態Ａ乃至状態Ｆを示す矩形の中に記載している（  ）付番号は、図７乃至図１０の制御信号の組み合わせ一覧（その１）から（その４）に示す６４通りの組み合わせの中で、先に説明した制御信号間の優先順位を考慮することによって有効となる３４通りの組み合わせの番号である。この番号は、図７乃至図９の表の右端の欄に記載されている番号と同じである。
【００３９】
このようにして、ＳＥＬ（０）、ＳＥＬ（１）、ＡＣＴ（０）、ＡＣＴ（１）、ＭＯＤＥ（０）、ＭＯＤＥ（１）の組み合わせによって切替順位制御部が切替信号にかかわる信号を生成して出力する。
【００４０】
この内ＭＯＤＥはＣＰＵ２に供給され、ＭＯＤＥが“０”の場合には、第一の切替部が抽出した切替情報に従ってＳＥＬ１とＳＥＬ２の選択端子を選択する。もしＭＯＤＥが“１”の場合には装置内一重であるので、第一の切替部が抽出した切替情報を無視して、予め設定されている選択端子を選択する。
【００４１】
又、ＳＥＬはＳＥＬ３とＳＥＬ４に供給されて、ＳＥＬ３とＳＥＬ４の選択端子を指定する。しかし、切替信号中継部で自己監視警報が検出されてＡＣＴが“１”であったり、切替順位制御部のパッケージの未実装警報が検出された場合には、これらによってセレクト部の選択端子を保持するクロックＳＥＬＣＫを抑圧して、ＳＥＬ３とＳＥＬ４の切替を禁止する。図３における第三のＡＮＤ回路１３７−１と第四のＡＮＤ回路１３７−２はこのためのＡＮＤ回路で、これらによって選択信号保護部を構成する。
【００４２】
一方、第二の切替部のＳＥＬ１’、ＳＥＬ２’は、ＣＰＵ１に設定されている運用形態を参照して、選択端子を選択される。具体的には、運用形態が二重化の場合には、第二の切替部が抽出した切替情報に従ってＳＥＬ１’とＳＥＬ２’の選択端子を選択し、運用形態が一重の場合には第二の切替部が抽出した切替情報を無視して：予め設定されている選択端子を選択する。又、ＳＥＬ３’とＳＥＬ４’は、ＣＰＵ１によって、図６にて説明したのと同様な制御順位を以て選択端子を選択される。
【００４３】
図１の、本発明の実施例においては、切替制御部に切替制御全般を行なうＣＰＵ１と、切替順位制御部の出力に従って第一の切替部の終端部を構成するセレクト部の切替を制御するＣＰＵ２とを備え、ＣＰＵ１の出力する制御信号を切替信号中継部や切替順位制御部などの論理回路によってＣＰＵ２などに切替のための制御信号を供給する構成例を説明したが、本発明の技術はこれに限定されるものではない。即ち、切替信号中継部と切替順位制御部の機能をＣＰＵ２に取り込んで、プログラム制御によって第一の切替部を構成するセレクト部の選択端子を選択することもできるし、逆に、第二の切替部のインタフェース部を構成するＳＥＬ３’とＳＥＬ４’の制御を行なうのに、切替信号中継部や切替順位制御部などの論理回路を設けて、これらの出力を使用することも可能である。
【００４４】
これらを総合すると、本発明の特徴は、異なる仕様の回線の接続点に設置する切替装置であって、一次側の二重化された回線と装置内の二重化系との間で切替を行なう第一の切替部と、装置内の二重化系と二次側の二重化された回線との間で切替を行なう第二の切替部と、一次側回線から送られてくる一次側回線の受信系の０系と１系のいずれかを選択するための第一の切替情報と切替装置の運用形態とによって、第一の切替部のうち一次側回線受信系の０系と１系とから一つの系を選択して装置内二重化系に接続するセレクト部の選択端子を決定し、二次側回線から送られてくる二次側回線の受信系０系と１系のいずれかを選択するための第二の切替情報と切替装置の運用形態とによって、第二の切替部のうち二次側回線受信系の０系と１系とから一つの系を選択して装置内二重化系に接続するセレクト部の選択端子を決定し、切替装置内で検出した警報と切替装置の運用形態とによって、第一の切替部のうち装置内二重化系の０系と１系とから一つの系を選択して一次側回線の送信系に接続するセレクト部の選択端子を決定し、切替装置内で検出した警報と切替装置の運用形態とによって、第二の切替部のうち装置内二重化系の０系と１系とから一つの系を選択して二次側回線の送信系に接続するセレクト部の選択端子を決定する切替制御部と、を備える点にあり、更に、前記切替制御部は、前記警報が検出されていないとき、前記切替装置の運用形態が二重化を示し、前期大にの切替情報が０系選択であるとき、前記第二の切替部のうち二次側回線受信系の０系を装置内二重化系に接続するように選択端子を決定し、前記第１の切替部のうち装置内二重化系の０系を前記一次側回線送信系に接続するように選択端子を決定し、前記切替装置の運用形態が二重化を示し、前記第二の切替情報が１系選択であるとき、前記第二の切替部のうち二次側回線受信系の１系を装置内二重化系に接続するように選択端子を決定し、前記第１の切替部のうち装置内二重化系の１系を前記一次側回線送信系に接続するように選択端子を決定し、前記切替装置の運用形態が一重化を示し、前記第二の切替情報が０系選択であるとき、前記第二の切替部のうち二次側回線受信系の０系を装置内二重化系に接続するように選択端子を決定し、前記第１の切替部のうち装置内二重化系の０系を前記一次側回線送信系の０系に接続し、前記第１の切替部のうち装置内二重化系の１系を前記一次側回線送信系の１系に接続するように選択端子を決定する点にある。これにより、切替装置内で形成される二重化系については、そこで検出される警報と切替装置の運用形態によって第一、第二の切替部を統一的に切替を制御することができ、一次側回線と二次側回線との関係については、第一の切替部に一次側回線の仕様に合致した切替部を適用し、第二の切替部に二次側回線の仕様に合致した切替部を適用するので、一次側回線と二次側回線の仕様がいかなるものであっても回線の仕様に合致させることができる。従って、本発明の技術により、異なる仕様の回線の間に設置される切替装置を、既に開発されている二の切替部と、一次、二次側回線の仕様とは実質的に独立な切替制御部とに切り分けることができ、異なる仕様の回線の間の切替装置を実現するために、二の切替装置の間に互いのオーバー・ヘッドを読むようなインタフェース装置を介在させて切替装置自体の構成を複雑にしたり、既に完成している二の切替部のＣＰＵに対してハード的、ソフト的な設計変更を行なったりすることを無用にできる。
【００４５】
尚、本出願明細書で使用した技術用語のうち、「終端部」と「インタフェース部」とは、本出願明細書にて定義した用語であることを申し添えておく。
【００４６】
【発明の効果】
以上詳述した如く、本発明の切替装置によれば、任意の仕様の回線の間で切替を行なうことができる標準的切替装置を実現できる。
【００４７】
もし、本発明の技術を適用しないとすれば、二つの切替部の仕様に従って互いにインタフェースをとる装置を付加するか、二つの切替部のＣＰＵ間でデータ伝送をできるようにＣＰＵのハード、ソフトを設計変更する必要性が生ずる。これに比較して、本発明の効果は、異なる仕様の回線の間で切替を行なうことができる切替装置の需要が高まりつつある中、絶大なものがある。
【図面の簡単な説明】
【図１】  本発明の実施例。
【図２】  本発明の実施例における制御信号系統（その１）。
【図３】  本発明の実施例における制御信号系統（その２）。
【図４】  切替信号中継部が生成する制御信号一覧。
【図５】  運用形態の状態遷移。
【図６】  運用形態の状態遷移の内、装置内二重化と装置内一重の部分の詳細。
【図７】  制御信号の組み合わせ一覧（その１）。
【図８】  制御信号の組み合わせ一覧（その２）。
【図９】  制御信号の組み合わせ一覧（その３）。
【図１０】  制御信号の組み合わせ一覧（その４）。
【図１１】  回線切替システムの概要。
【図１２】  従来の切替装置。
【図１３】  従来の切替装置におけるセレクタの制御。
【符号の説明】
１１      第一の切替部
１２      第二の切替部
１３      切替制御部
１１１    第一の切替部の第一のセレクタ（ＳＥＬ１）
１１２    第一の切替部の第二のセレクタ（ＳＥＬ２）
１１３    第一の切替部の第三のセレクタ（ＳＥＬ３）
１１４    第一の切替部の第四のセレクタ（ＳＥＬ４）
１２１    第二の切替部の第一のセレクタ（ＳＥＬ１’）
１２２    第二の切替部の第二のセレクタ（ＳＥＬ２’）
１２３    第二の切替部の第三のセレクタ（ＳＥＬ３’）
１２４    第二の切替部の第四のセレクタ（ＳＥＬ４’）
１３１ａ  第一の装置内故障監視部
１３１ｂ  第二の装置内故障監視部
１３２ａ  第一の故障状態送信部
１３２ｂ  第二の故障状態送信部
１３３    第一の中央制御ユニット（ＣＰＵ１）
１３４ａ  第一の切替信号中継部
１３４ｂ  第二の切替信号中継部
１３５    切替順位制御部
１３６    第二の中央制御ユニット（ＣＰＵ２）
１３７    選択信号保護部
【図１】
0003772358.tif 000002
【図２】
0003772358.tif 000003
【図３】
0003772358.tif 000004
【図４】
0003772358.tif 000005
【図５】
0003772358.tif 000006
【図６】
0003772358.tif 000007
【図７】
0003772358.tif 000008
【図８】
0003772358.tif 000009
【図９】
0003772358.tif 000010
【図１０】
0003772358.tif 000011
【図１１】
0003772358.tif 000012
【図１２】
0003772358.tif 000013
【図１３】
0003772358.tif 000014